(57)【要約】【課題】  従来から使用されているグローブボックスや、アームレストのコンソールボックスのサイドロック形状では、レバーを持ったままの状態ではロックのかかる定位置まで持っていったとしてもロックされない。つまり、ロックをかけるためには、レバーから手を離して定位置まで持っていかなければならず、乗員に使い方を限定させてしまっている。  本発明は、上記問題を解決したロック機構、及びロック機構を備えた引き出し装置を提供することを目的としている。【解決手段】  可動体を一の位置に保持する一のロック部６と、他の位置に保持する他のロック部６´とを有し、前記一のロック部６と前記他のロック部６´とが一つの操作部２により操作可能であるロック機構。【選択図】図３
2014088121.tif 000002
【特許請求の範囲】
【請求項１】
可動体を一の位置に保持する一のロック部と、他の位置に保持する他のロック部とを有し、前記一のロック部と前記他のロック部とが一つの操作部により操作可能であることを特徴とするロック機構。
【請求項２】
可動体は一の位置から他の位置へ引き出されることを特徴とする請求項１に記載のロック機構を備えた引き出し装置。
【請求項３】
一の位置に一の係合部を、他の位置に他の係合部を備え、一の位置では一のロック部のみが一の係合部に係合し、他の位置では他のロック部のみが他の係合部と係合して可動体を保持することを特徴とする請求項２に記載のロック機構を備えた引き出し装置。
【発明の詳細な説明】
【技術分野】
【０００１】
本発明は各種車両内に設置される内部に小物等を収納するコンソールボックスの引き出し装置におけるロック機構、及びそのロック機構を備えた引き出し装置に関するものである。
【背景技術】
【０００２】
従来から自動車等の車両には、車室内の運転席と助手席との間の部分に、車両前後方向へ延びるコンソールボックスを備えている物等、種々の収納装置を備えている。
従来技術としては、上部に開口を有するボックス本体に、前記開口を覆うコンソールリッドが取り付けられ、このコンソールリッドが、前記ボックス本体に回動可能にヒンジ結合されるリッドベースと、このリッドベースに前後スライド可能に係止されるリッドカバーと、前記リッドカバーの回動をロックする回動ロック機構と、前記リッドカバーに回動可能に取り付けられ、上方側から手をかけた引き起こし操作によって前記回動ロック機構を解除する操作レバーと、を備えて成るコンソールボックスであって、前記操作レバーの把持部の下端を、前記回動ロック機構の解除前の状態で、前記操作レバーの回動軸よりも下方に位置されるように設定したことを特徴とするコンソールボックス（例えば、特許文献１参照）が存在している。
【先行技術文献】
【特許文献】
【０００３】
【特許文献１】特開２００９−６７１０４号公報（特許請求の範囲の欄、発明の詳細な説明の欄、及び図１〜図１０を参照）
【発明の概要】
【発明が解決しようとする課題】
【０００４】
従来から使用されているグローブボックスや、アームレストのコンソールボックスのサイドロック形状では、レバーを持ったままの状態ではロックのかかる定位置まで持っていったとしてもロックされない。つまり、ロックをかけるためには、レバーから手を離して定位置まで持っていかなければならず、乗員に使い方を限定させてしまっている。
本発明は、上記問題を解決したロック機構、及びロック機構を備えた引き出し装置を提供することを目的としている。
【課題を解決するための手段】
【０００５】
本発明の第１の発明は、請求項１に記載された通りのロック機構であり、次のようなものである。
可動体を一の位置に保持する一のロック部と、他の位置に保持する他のロック部とを有し、前記一のロック部と前記他のロック部とが一つの操作部により操作可能である構成である。
【０００６】
本発明の第２の発明は、請求項２に記載された通りのロック機構を備えた引き出し装置であり、次のようなものである。
請求項１に記載の発明に加えて、可動体は一の位置から他の位置へ引き出される構成である。
【０００７】
本発明の第３の発明は、請求項３に記載された通りのロック機構を備えた引き出し装置であり、次のようなものである。
請求項２に記載の発明に加えて、一の位置に一の係合部を、他の位置に他の係合部を備え、一の位置では一のロック部のみが一の係合部に係合し、他の位置では他のロック部のみが他の係合部と係合して可動体を保持する構成である。
【発明の効果】
【０００８】
本発明に係るロック機構、およびロック機構を備えた引き出し装置は、上記説明のような構成を有するので、以下に記載する効果を奏する。
（１）２ロック構造とすることで、乗員がロックノブを握っていても、離していても定位置まで動かせば確実にロックを掛けることができる。
（２）ロックを掛ける操作を乗員に限定させることなく、乗員にあった操作方法でのロックが可能である。
（３）定位置まで動かせば確実にロックがされるため、水平引き出しの可動体だけでなく、ロックが掛からないと元の位置に戻ってしまうような上下に引き出されるような引き出し装置にも採用することができる。
【図面の簡単な説明】
【０００９】
【図１】本発明の第一実施例であるロック機構を備えた引き出し装置の一実施例を示す一部分解斜視図である。
【図２】本発明の第一実施例であるロック機構を備えた引き出し装置の一実施例を示す概略断面図である。
【図３】図２のＡ−Ａ線断面図であって、（ａ）は引き出し部の収容時の状態、（ｂ）は引き出し部の引き出した状態を示すものである。
【図４】本発明の第一実施例であるロック機構を備えた引き出し装置の一実施例の各種操作時の引き出し部のロックの状態を示す概略断面図であり、（ａ）は引き出し部が収納されてロックされている状態、（ｂ）はレバーを押した時のロック解除状態、（ｃ）はレバーを押した時のロック状態、（ｄ）レバーを離した時のロック状態を示すものである。
【図５】本発明の第一実施例であるロック機構を備えた引き出し装置の一実施例の各種操作時の引き出し部のロックの状態を示す概略断面図であり、（ａ）はレバーを引いた時のロック解除の状態、（ｂ）はレバーを引いた時のロック状態、（ｃ）はレバーを離した時のロック状態を示すものである。
【発明を実施するための形態】
【００１０】
引き出しのような可動体を一の位置に保持する一のロック部と、他の位置に保持する他のロック部とを有し、前記一のロック部と前記他のロック部とが一つの操作部により操作可能であるロック機構である。
【実施例１】
【００１１】
本発明のコンソールボックスにおけるロック機構、及び該ロック機構を備えた引き出し装置の一実施例を図面に基づいて説明する。
図１〜図３は、本発明のロック機構を備えた引き出し装置の一実施例を示すもので、引き出し装置１の操作部２を押すと、ロック機構３を覆うように設けられた解除部４が操作部２と連動して摺動する。その際、解除部４から下垂するピン５がロック機構３を形成するロック軸６に対して、ロック軸６が有する付勢部材であるバネ７の付勢力に抗う方向へロック軸６を摺動させることにより、ロック機構３のロック状態が解除されて引き出し装置１を移動させることができるものである。
【００１２】
引き出し装置の操作時の状態を図面に基づいて具体的に説明すると、引き出し装置１を引き出す前は、図３（ａ）、図４（ａ）のように、引き出される解除部４の後側のロック軸６が引き出し装置１のブラケット１０に設けられた孔８から突出して解除部４を引き出し装置１に固定している。
引き出し１´を引き出す際は、操作部２を押すと、ロック機構３に設けられた斜面９に解除部４に設けられているピン５が当り、ロック軸６が孔８から抜けてロックが解除される（図４（ｂ）参照）。この際、ロック軸６´は付勢部材であるバネ７´の反力により外側へ広がろうとし、ブラケット１０に擦りながら動くため、引き出す動作に手ごたえがあり、例えば上から下へ引き出される場合等に勝手に引き出しが下がってしまうことを防止することも可能である。
そして、引き出し１´の完全開放位置まで、スライドさせていくと、ロック機構３の解除部４の前側に設けられたロック軸６´がブラケット１０に設けられた孔８´の所まで移動し、付勢手段であるバネ７´の反力により外側へ広がろうとし、ロック軸６´が孔８´に入り、ロックされる（図４（ｃ）参照）。
なお、この際、ロック軸６は付勢部材であるバネ７の反力により外側へ広がろうとし、ブラケット１０に擦りながら動くものである。
そして、操作部２から手を離すと、押されていた操作部２が元の状態に戻り、解除部４に設けられたピン５、５´は、図４（ｄ）の状態になる。
【００１３】
引き出し１´を収納する際は、操作部２を引くと、ロック機構３に設けられた斜面９´に解除部４に設けられているピン５´が当り、ロック軸６´が下がり、孔８´から抜けてロックが解除される（図５（ａ）参照）。この際、ロック軸６はバネ７の反力によりブラケット１０に擦りながら移動する。
そして、引き出し１´の完全閉鎖位置まで、スライドさせていくと、バネ７の反力により外側へ広がろうとするロック軸６が孔８に入り、ロックされる（図５（ｂ）参照）。
そして、操作部２から手を離すと、押されていた操作部２が元の状態に戻り、解除部４に設けられたピン５、５´は、図５（ｃ）の状態になる。
以上のように、２つのロック機構を採用したことで引き出し１´を孔８、８´のある定位置まで移動させることさえすれば、ロックが掛かるので、従来技術のように、操作部を離さないとロックが掛からない等ということがなく、初めて引き出し装置１の操作をする人であっても、確実に引き出し１´の開閉を行うことができる。
なお、上記実施例では、引き出し１´のスライドの停止位置を２ヶ所にしたものを示したが、ロック機構を増やすことで、多段階の停止位置を設定することもできるものである。
また、引き出し装置１の大きさによっては、ロック機構３に設けられたロック軸６を左右両側ではなく、片側だけでのロックも可能である。
【産業上の利用可能性】
【００１４】
各種車両に取り付けられるグローブボックスや、コンソールボックス等の収納装置に利用することができる。
【符号の説明】
【００１５】
１・・・・引き出し装置
１´・・・・引き出し
２・・・・操作部
３・・・・ロック機構
４・・・・解除部
５・・・・ピン
５´・・・・ピン
６・・・・ロック軸
６´・・・・ロック軸
７・・・・付勢部材であるバネ
８・・・・孔
８´・・・・孔
９・・・・斜面
９´・・・・斜面
１０・・・・ブラケット
【図１】
2014088121.tif 000003
【図２】
2014088121.tif 000004
【図３】
2014088121.tif 000005
【図４】
2014088121.tif 000006
【図５】
2014088121.tif 000007